(57)【要約】【課題】  試しコピー時にトナーの使用量を削減し、通常コピー時に比べてランニングコストを下げる方法を提供する。【解決手段】  試しコピーの目的を使用者に選択させ、レイアウト確認が選択された場合には濃度を薄くして印刷を行うことにより、使用するトナーの量を削減し、色味調整が選択された場合は、使用している色数の一番多い部分だけを抽出し、複数の色味調整処理を行った画像を１枚の用紙に印刷し色味調整を行う。【選択図】  図１
2005284022.tif 000002
【特許請求の範囲】
【請求項１】
所望の用紙サイズおよび画質で印刷を行う前に、印刷結果を確認し調整を行うための試しコピーモードを有する複写装置において、試しコピーモードが選択された時に試しコピーを行う目的を使用者に選択させ、選択された目的に応じて試しコピーの印刷動作を切換えることを特徴とする複写装置。
【請求項２】
請求項１の複写装置において、試しコピーの目的として、レイアウト確認と色味調整の２つの目的を含むことを特徴とする複写装置。
【請求項３】
請求項１または２の複写装置において、試しコピーの目的としてレイアウト確認が選択された場合は、印刷濃度を自動的に薄くして印刷を行うことを特徴とする複写装置。
【請求項４】
請求項１または２の複写装置において、試しコピーの目的として色味調整が選択された場合は、原稿をスキャンした画像データを複数のサブ領域に分割し、各サブ領域のうち一番色情報の種類が多いサブ領域を選択し、前記選択されたサブ領域に対して複数種類の色味調整処理を施し、１ページに前記異なる色味調整を施されたサブ領域を並べて配置し、前記配置されたサブ領域にそれぞれ番号を付加して印刷することを特徴とする複写装置。
【請求項５】
請求項４の複写装置において、異なる複数種類の色味調整されたサブ領域を並べて印刷した後、使用者に対してどの色味調整された画像が最適かを選択するよう促し、選択された色味調整されたサブ領域画像を印刷した色味調整を全画像データに対して行うように動作することを特徴とする複写装置。
【発明の詳細な説明】
【技術分野】
【０００１】
本発明は、原稿をスキャンし印刷する複写装置に関するものである。
【背景技術】
【０００２】
従来、試しコピーモードを持つ複写装置は存在しているが、試しコピーが選択された場合、単に複数部コピーが設定されていても一部コピーを行ったところで一旦停止し、そのまま複数部コピーを実行するか中止するかを使用者に選択させるのみであった（例えば、特許文献１参照）。
【特許文献１】実開昭６３−１１６４１号公報
【発明の開示】
【発明が解決しようとする課題】
【０００３】
上記従来例では、たとえ試しコピーであっても通常のコピーと同等のランニングコストが必要となってしまうという欠点がある。また、カラー複写装置の場合、試しコピーによって印刷結果の色味を確認したい時に、試しコピーの印刷結果が気に入らなかった場合でもどのように色味調整機能を設定すればよいかがわからないので設定変更と試しコピーを繰り返して所望の色味に近づけていかねばならず、使用者に不便であるとともに用紙とトナーを浪費しランニングコストもかさむという欠点がある。
【０００４】
本発明は、以上の点に着目して成されたもので、試しコピー時にトナーの使用量を削減し、通常コピー時に比べてランニングコストを下げる方法を提供することを目的とする。
【課題を解決するための手段】
【０００５】
本発明は、上記従来例の試しコピーの欠点を解決するよう発明されたものであり、試しコピーモードが選択された時に、試しコピーの目的を使用者に選択させるステップを有し、試しコピーの目的としてレイアウト確認と色味調整の２つを有し、レイアウト確認が選択された場合は印刷の濃度を下げて印刷することによってトナーの使用量を削減し通常コピーに比べてランニングコストを下げることを実現し、色味調整が選択された場合は１ページ内の画像データの中で多くの色情報を含むサブ領域を抽出し、現在設定されている色味調整値より少しだけ変更した複数の色味調整値で色味調整された複数のサブ領域を１ページ内に再配置して印刷を行い、使用者がその印刷結果より最も最適だと判断したサブ領域印刷結果を選択するとそのサブ領域に施された色味調整値が元の画像データ全域に設定されるよう動作することによって、色味調整の専門知識のない使用者であっても簡単に所望の色味で印刷された結果を得ることができるようになる。
【０００６】
なお、さらに詳細に説明すれば、本発明は下記の構成によって前記課題を解決できた。
【０００７】
（１）所望の用紙サイズおよび画質で印刷を行う前に、印刷結果を確認し調整を行うための試しコピーモードを有する複写装置において、試しコピーモードが選択された時に試しコピーを行う目的を使用者に選択させ、選択された目的に応じて試しコピーの印刷動作を切換えることを特徴とする複写装置。
【０００８】
（２）前記（１）記載の複写装置において、試しコピーの目的として、レイアウト確認と色味調整の２つの目的を含むことを特徴とする複写装置。
【０００９】
（３）前記（１）または（２）の複写装置において、試しコピーの目的としてレイアウト確認が選択された場合は、印刷濃度を自動的に薄くして印刷を行うことを特徴とする複写装置。
【００１０】
（４）前記（１）または（２）の複写装置において、試しコピーの目的として色味調整が選択された場合は、原稿をスキャンした画像データを複数のサブ領域に分割し、各サブ領域のうち一番色情報の種類が多いサブ領域を選択し、前記選択されたサブ領域に対して複数種類の色味調整処理を施し、１ページに前記異なる色味調整を施されたサブ領域を並べて配置し、前記配置されたサブ領域にそれぞれ番号を付加して印刷することを特徴とする複写装置。
【００１１】
（５）前記（４）の複写装置において、異なる複数種類の色味調整されたサブ領域を並べて印刷した後、使用者に対してどの色味調整された画像が最適かを選択するよう促し、選択された色味調整されたサブ領域画像を印刷した色味調整を全画像データに対して行うように動作することを特徴とする複写装置。
【発明の効果】
【００１２】
本発明によれば、試しコピーモードが選択された場合に、その試しコピーの目的を使用者に選択させ、レイアウト確認が選択された場合には濃度を薄くして印刷を行うことにより、使用するトナーの量を削減することができ、使用者にとってはランニングコストを削減することが可能になる。
【００１３】
また、色味調整が選択された場合は、使用している色数の一番多い部分だけを抽出し、複数の色味調整処理を行った画像を１枚の用紙に印刷し、その中で一番使用者の意図に近いものを選択することにより、通常専門知識無しには難しい色味調整を簡単に行うことができるという効果がある。また、一枚の印刷結果で複数の色味調整結果が確認できるので、色味調整のために使用する用紙やトナーが節約でき、ランニングコストを削減できる。用紙やトナーが節約できるということは、資源の浪費を抑えることなので環境にやさしい複写装置を提供することにもつながる。
【発明を実施するための最良の形態】
【００１４】
以下本発明を実施するための最良の形態を、実施例により詳しく説明する。
【実施例】
【００１５】
本発明の実施例を以下に説明する。
【００１６】
図２は実施例に係る複写装置の外観図である。図において２０は原稿をスキャンするための原稿台、２１は操作部であり独立したボタンスイッチと、液晶パネル等の表示部とその上に重ねられた透明のタッチスイッチよりなる。２２は給紙部、２３は排紙部であり、本発明はこのような複写装置において試しコピーモードを持つものに関するものである。
【００１７】
図１は本発明の試しコピーモードの動作の流れを示すフローチャートである。
【００１８】
本図に基づいて、本発明の動作を説明する。
【００１９】
コピーを取りたい使用者がまず原稿台２０に原稿をセットし、コピーの動作設定を行う（Ｓ１）。このときの操作部２１の表示例を図３に示す。図３の試しコピーボタン３０が押されたかどうかを判断し（Ｓ２）、試しコピーが選択された場合、試しコピーの目的を使用者に選択させる（Ｓ３）。このときのの操作部２１の表示例を図４に示す。図４においてレイアウト確認ボタン４０が押された場合、図５に示すように濃度を薄くして印刷する確認画面が表示され、「はい」が押されると濃度を薄くする仮設定が行われる（Ｓ４）。その後（Ｓ５）において濃度を薄くした試しコピーが実行される。このときの原稿と試しコピー結果を図６に示す。図６において６０が原稿であり、６１が濃度を薄くした試しコピー結果である。
【００２０】
６１は濃度は薄いがレイアウトを確認するには十分であり、使用者は６１を持ってレイアウトが所望のものであるかどうかを確認する。このとき、操作部２１の表示を図７に示す。
【００２１】
このレイアウトでよければ「はい」を押下し、だめな場合は「いいえ」を押下する（Ｓ６）。「はい」が押下されると、仮に設定された濃度設定は使用者がＳ１で設定した設定にもどされ、Ｓ１５において使用者が所望の部数だけコピー動作が行われ終了する。（Ｓ６）において「いいえ」が押下されると動作を中止し、Ｓ１に戻り再度使用者がコピー動作を開始するよう操作することを待つ。
【００２２】
（Ｓ３）において図４の色味調整が選択されると、図８に示す表示が行われる。図８において「はい」が選択されるとＳ７において原稿のスキャンが行われ、Ｓ８においてスキャンされた画像データが複数のサブ領域に分割される。その後Ｓ９において各分割されたサブ領域内の色情報が抽出され、色の種類が最も多いサブ領域が選択される。（Ｓ１０）において（Ｓ９）で選択されたサブ領域に対して複数の異なる色味調整処理を施し、（Ｓ１１）において異なる色味調整処理を行ったサブ領域を並べて１ページの画像データを作成する。このとき並べられた１ページのサブ領域にはそれぞれ番号が付加され、画像データ上に合成される。
【００２３】
（Ｓ１１）で作成された１ページの画像データを（Ｓ１２）にて印刷を行う。このときの原稿と印刷結果を図９に示す。図９において９０が原稿であり、９１が試し印刷結果である。その後（Ｓ１３）において使用者に対してどの色味調整結果が所望であるかを選択させる表示が行われる。それが図１０である。図１０において〔３〕のサブ領域が選択された場合は図１１に示すように〔３〕のサブ領域と同様の色味調整を原稿画像データ全体に設定して印刷してよいかどうかの確認画面が表示される。図１１において「はい」が押下されると（Ｓ１４）において原稿画像データ全体に〔３〕のサブ領域と同様の色味調整処理が施され、（Ｓ１５）において使用者が所望の部数だけコピー動作が行われ終了する。
【図面の簡単な説明】
【００２４】
【図１】本発明の動作を示すフローチャートである。
【図２】本発明の複写装置外観図である。
【図３】本発明の操作部の表示例である。
【図４】本発明の操作部の表示例である。
【図５】本発明の操作部の表示例である。
【図６】本発明のレイアウト確認試しコピー時の原稿と結果を示す図である。
【図７】本発明の操作部の表示例である。
【図８】本発明の操作部の表示例である。
【図９】本発明の色味調整試しコピー時の原稿と結果を示す図である。
【図１０】本発明の操作部の表示例である。
【図１１】本発明の操作部の表示例である。
【符号の説明】
【００２５】
２０  原稿台
２１  操作部
２２  給紙部
２３  排紙部
３０  試しコピーボタン
４０  レイアウト確認ボタン
４１  色味調整ボタン
６０  レイアウト確認の原稿
６１  レイアウト確認の試しコピー結果
９０  色味調整の原稿
９１  色味調整の試しコピー結果
【図１】
2005284022.tif 000003
【図２】
2005284022.tif 000004
【図３】
2005284022.tif 000005
【図４】
2005284022.tif 000006
【図５】
2005284022.tif 000007
【図７】
2005284022.tif 000008
【図８】
2005284022.tif 000009
【図９】
2005284022.tif 000010
【図１０】
2005284022.tif 000011
【図１１】
2005284022.tif 000012
【図６】
2005284022.tif 000013